(57)【要約】【課題】本発明は，隣接するSONET／SDH伝送装置または隣接するＷＤＭ伝送装置に波長情報を送信するＷＤＭ伝送装置を提供する。【解決手段】ＷＤＭ伝送装置は，SONET／SDH伝送装置との間で光信号の入出力を行うインタフェース装置を収容する。ＷＤＭ伝送装置は，インタフェース装置の識別情報と，このインタフェース装置に割り当てられたＷＤＭ信号の波長とを対応させた波長情報を，インタフェース装置からSONET／SDH伝送装置に送信する。SONET／SDH伝送装置は，受信した波長情報を記憶するとともに，ＷＤＭ伝送装置に返信する。ＷＤＭ装置は，同様にして，波長情報を所定の波長の信号により隣接するＷＤＭ伝送装置に送信する。隣接するＷＤＭ伝送装置は，受信した波長情報を記憶するとともに，送信元に返信する。これにより，ＷＤＭ伝送装置に障害が発生し，波長情報が失われても，復旧時に，隣接するSONET／SDH伝送装置またはＷＤＭ伝送装置から波長情報が送信され，復旧したＷＤＭ伝送装置に自動的に設定される。【選択図】図３
2006352919.tif 000002
【特許請求の範囲】
【請求項１】
波長分割多重光信号を伝送するＷＤＭ伝送装置および時分割多重光信号を伝送するSONET／SDH伝送装置を含む複数の光伝送装置を有する光通信ネットワークシステムにおける各光伝送装置であって，
自己と自己に隣接する光伝送装置との接続関係を示すインタフェース設定情報を記憶する記憶部と，
前記インタフェース設定情報を前記隣接する光伝送装置に送信する送信部と，
前記隣接する光伝送装置から送信された他の光伝送装置のインタフェース設定情報を受信して前記記憶部に記憶する受信部と，
前記受信部により受信された前記他の光伝送装置のインタフェース設定情報を隣接する光伝送装置に転送する転送部と，
を有する光伝送装置。
【請求項２】
請求項１において，
隣接する光伝送装置に接続されて前記波長分割多重光信号または時分割多重光信号の入出力処理を行う１または２以上のインタフェース部をさらに有し，
前記インタフェース設定情報は，前記インタフェース部と隣接する光伝送装置との接続関係を示す情報，または，前記インタフェース部と自己の光伝送装置内の他のインタフェース部との接続関係を示す情報である，
光伝送装置。
【請求項３】
波長分割多重光信号を伝送するＷＤＭ伝送装置および時分割多重光信号を伝送するSONET／SDH伝送装置を含む複数の光伝送装置を有する光通信ネットワークシステムにおける各光伝送装置であって，
前記光通信ネットワークシステムの各光伝送装置とその隣接する光伝送装置との接続関係を示すインタフェース設定情報を記憶する記憶部と，
前記記憶部に記憶された前記インタフェース設定情報と，時分割多重光信号が該光通信ネットワークシステムにアッドされる第１の光伝送装置の識別情報と，該時分割多重光信号が該光通信ネットワークシステムからドロップされる第２の光伝送装置の識別情報とに基づいて，自己の光伝送装置から前記第２の光伝送装置に至るまでの経路を探索する探索部と，
を有する光伝送装置。
【請求項４】
請求項３において，
隣接する光伝送装置に接続されて前記波長分割多重光信号または時分割多重光信号の入出力処理を行う１または２以上のインタフェース部をさらに有し，
前記インタフェース設定情報は，前記インタフェース部と隣接する光伝送装置内のインタフェース部との接続関係を示す情報，または，前記インタフェース部と自己の光伝送装置内の他のインタフェース部との接続関係を示す情報であり，
前記第１の光伝送装置の識別情報は前記時分割多重光信号がアッドされるインタフェース部の識別情報であり，前記第２の光伝送装置の識別情報は前記時分割多重光信号がドロップされるインタフェース部の識別情報であり，
前記探索部は，自己の光伝送装置のインタフェース部から前記ドロップされるインタフェース部に至るまでの経路を探索する，
光伝送装置。
【請求項５】
請求項４において，
前記探索部は前記探索された経路を表す経路情報を作成し，前記記憶部は前記経路情報を記憶する，光伝送装置。
【請求項６】
請求項４または６のいずれか１項において，
前記インタフェース設定情報は，ＷＤＭ光伝送装置間では，所定の波長の光信号により送信され，ＷＤＭ光伝送装置とSONET／SDH伝送装置との間およびSONET／SDH伝送装置間では，SONET／SDHフレームのオーバヘッド部により送信される，
光伝送装置。
【請求項７】
請求項４から６のいずれか１項において，
前記探索部は，前記経路が複数探索され，該複数の経路の少なくとも２つ以上の経路がＷＤＭリング間を接続するSONET／SDH伝送経路を経由する場合には，該SONET／SDH伝送経路上のSONET／SDH伝送装置の個数，または，SONET／SDH伝送経路の距離に基づいて，該SONET／SDH伝送経路の優先順位を付す，
光伝送装置。
【請求項８】
請求項４から７のいずれか１項において，
前記探索部は，前記経路が複数探索された場合に，各経路における経由するインタフェース部の個数の少ないものから順に高い優先順位を付す，
光伝送装置。
【請求項９】
請求項８において，
前記探索部は，各経路における経由するインタフェース部の個数の少ないものから順に高い優先順位を付した結果，同じ優先順位を有する経路が複数存在する場合には，該同じ優先順位を有する経路に対して，ＷＤＭリングのＷＤＭ光伝送装置間の未使用波長数が多い区間から順に高い優先順位を付す，
光伝送装置。
【請求項１０】
請求項４から７のいずれか１項において，
前記探索部は，前記経路が複数探索された場合に，ＷＤＭリングのＷＤＭ光伝送装置間の未使用波長数が多い区間から順に高い優先順位を付す，
光伝送装置。
【請求項１１】
請求項１０において，
前記探索部は，ＷＤＭリングのＷＤＭ光伝送装置間の未使用波長数が多い区間から順に高い優先順位を付した結果，同じ優先順位を有する経路が複数存在する場合には，該同じ優先順位を有する経路に対して，各経路における経由するインタフェース部の個数の少ないものから順に高い優先順位を付す，
光伝送装置。
【請求項１２】
請求項９または１１において，
前記探索部は，前記優先順位を付した結果，さらに同じ優先順位を有する経路が複数存在する場合には，あらかじめ設定されたデフォルト経路に基づいて，該同じ優先順位を有する経路の優先順位を差別化する，
光伝送装置。
【請求項１３】
請求項４から１２のいずれか１項において，
前記自己の光伝送装置のインタフェース部の識別情報，前記アッドされるインタフェース部の識別情報，および前記ドロップされるインタフェース部の識別情報を有する経路設定情報を，前記探索部により探索された経路において隣接する光伝送装置に送信する送信部をさらに有し，
前記隣接する光伝送装置の前記探索部は，前記経路設定情報に含まれる自己の光伝送装置のインタフェース部の識別情報を有するインタフェース部を経由しない経路を探索する，
光伝送装置。
【請求項１４】
請求項４から１３のいずれか１項において，
自己の光伝送装置と隣接する光伝送装置との間の伝送路の障害を検出する伝送路障害検出部と，
前記伝送路障害検出部により障害が検出されると，該伝送路の両端に接続されたインタフェース部の識別情報を有する伝送路障害発生情報を送信する送信部と，
他の光伝送装置からの伝送路障害発生情報を受信する受信部と，
をさらに有し，
前記探索部は，前記伝送路障害発生情報に基づいて，前記障害が発生した伝送路を経由する経路を前記経路情報から除外する，
光伝送装置。
【発明の詳細な説明】
【技術分野】
【０００１】
本発明は，光伝送装置に関し，特に，隣接する光伝送装置との間で波長分割多重光信号を送受信する光伝送装置に関する。また，本発明は，波長分割多重光信号を伝送するＷＤＭ伝送装置および時分割多重光信号を伝送するSONET／SDH伝送装置を含む複数の光伝送装置を有する光通信ネットワークシステムにおける各光伝送装置に関する。
【背景技術】
【０００２】
近年，複数のSONET／SDHネットワークの光信号を波長分割多重（ＷＤＭ：Wavelength Division Multiplex）技術により多重化して送信するＷＤＭリングの構築が進められている。
【０００３】
ＷＤＭリングには，ＷＤＭ伝送装置（たとえばＯＡＤＭ（Optical Add Drop Multiplexer））が設けられている。このＷＤＭ伝送装置は，１または２以上のSONET／SDHインタフェース装置を収用し，SONET／SDH伝送装置から入力（アッド）される信号に異なる波長を割り当て，波長多重を行うことにより，複数のSONET／SDHの信号を１本の光ファイバにより伝送する。また，ＷＤＭ伝送装置は，多重分離を行うことにより，各SONET／SDHの信号を取り出し，SONET／SDH伝送装置に出力（ドロップ）する。
【０００４】
このようなＷＤＭリングにおいて，新たにSONET／SDHインタフェース装置をＷＤＭ伝送装置に収用する場合に，従来，保守者（オペレータ）は，１つ１つのＷＤＭ伝送装置に必要な設定を行っていた。
【０００５】
すなわち，保守者は，まず，どのＷＤＭリングのどのＷＤＭ伝送装置にSONET／SDHインタフェース装置を収用（ADD／DROP）するかを決定し，収容したSONET／SDHインタフェース装置に回線（波長）を割り当てていた。このため，保守者は，オペレーションシステム（以下「ＯｐＳ」という。）から波長情報を読み出し，割り当て可能は波長を調べていた。次に，保守者は，その回線を設定する経路上にある全てのＷＤＭ伝送装置に対し，設定が可能な未使用波長があるかどうかを確認するため，ＯｐＳから波長情報を読み出し，使用状況を確認していた。また，経路の経済性（最短経路等）や保守性（冗長構成等）を考慮して最適な経路を設定する場合には，保守者がネットワーク全体の構成を認識して，経路を決定していた。最後に，保守者は，経路上の各ＷＤＭ伝送装置の未使用波長に対して波長設定を行っていた。
【０００６】
また，各ＷＤＭ伝送装置は，ＯｐＳにより設定された波長情報を装置内のデータベースに保持しているが，ＷＤＭ伝送装置に障害が発生した場合に，この波長情報が失われる。したがって，障害からの復旧時には，保守者が，ＷＤＭ伝送装置のデータベースに波長情報を再設定していた。
【０００７】
さらに，ＷＤＭ伝送装置間では１本の光ファイバに波長の異なる複数の光信号を波長分割多重しているが，光信号の送信に使用されている，ある波長に障害が発生した場合に，１つの伝送路（光ファイバ）を切り替えることにより障害を回避している。したがって，この際にも，必要なＷＤＭ伝送装置に新たな波長情報の設定が必要であった。
【０００８】
このように，従来は，保守者が種々の操作を行う必要があったので，保守に時間を要し，保守性が高いとはいえなかった。
【０００９】
また，ネットワーク上におけるＷＤＭ伝送装置とＷＤＭ伝送装置との間，ＷＤＭ伝送装置とSONET／SDH伝送装置との間，SONET／SDH伝送装置とSONET／SDH伝送装置との間で伝送路に障害が発生すると，従来は，伝送装置間の閉じた区間で伝送路の切り替えを行い，障害を回避していた。したがって，伝送装置間で切り替え対象となる光ファイバがない場合や，切り替え対象となるすべての光ファイバに障害が発生している場合には，障害を回避することができなかった。
【００１０】
さらに，障害等により通信ネットワークシステムの伝送経路を変更する場合には，回線の増設時と同様，保守者が，ネットワーク内の経路決定を行い，経路上のＷＤＭ伝送装置の全てに対して波長情報を読み出し，未使用波長を確認し，波長設定を行っていた。
【００１１】
またさらに，複数の波長の１つに障害が発生した場合であっても，１つの伝送路を切り替えることにより障害を回避していたので，他の使用されている正常な波長の回線も瞬断を余儀なくされていた。
【発明の開示】
【発明が解決しようとする課題】
【００１２】
本発明は，光伝送装置に波長情報を自動的に設定可能とすることを目的とする。また，本発明は，光通信ネットワークシステムの全ての光伝送装置が自動的に経路を探索できることを目的とする。さらに，本発明は，伝送路または伝送路における特定の波長の障害を回避することを目的とする。
【課題を解決するための手段】
【００１３】
本発明の第１の側面による光伝送装置は，隣接する光伝送装置との間で波長分割多重光信号を送受信する光伝送装置であって，上流側に隣接する光伝送装置からの波長分割多重光信号のうち，所定の第１の波長の光信号を，隣接するSONET／SDH伝送装置に適合した時分割多重光信号に変換して出力する出力インタフェース部と，前記SONET／SDH伝送装置から受信される光信号を，下流側に隣接する光装置に送信される波長分割多重光信号に含まれる所定の第２の波長の光信号に変換して入力する入力インタフェース部と，前記出力インタフェース部の識別情報と前記第１の波長を表す情報とを含む第１の波長情報と，前記入力インタフェース部の識別情報と前記第２の波長を表す情報とを含む第２の波長情報とを記憶する記憶部と，前記出力インタフェース部から前記SONET／SDH伝送装置に出力される時分割多重光信号の所定の領域に前記第１および第２の波長情報を書き込む書き込み部と，前記SONET／SDH伝送装置から前記入力インタフェース部に受信される時分割多重光信号の所定の領域に書き込まれた前記第１および第２の波長情報を読み出し，前記記憶部に記憶する読み出し部と，を有する。
【００１４】
本発明の第１の側面によると，第１および第２の波長情報がSONET／SDH伝送装置に送信され，該SONET／SDH伝送装置から返信される。これにより，光伝送装置に障害等が発生し，波長情報が失われても，復旧時に，SONET／SDH伝送装置から該波長情報を受け取り，復旧した光伝送装置に自動的に設定することができる。
【００１５】
本発明の第２の側面による光伝送装置は，隣接する光伝送装置との間で波長分割多重光信号を送受信する光伝送装置であって，上流側に隣接する光伝送装置からの波長分割多重光信号のうち，所定の第１の波長の光信号を，隣接するSONET／SDH伝送装置に適合した時分割多重光信号に変換して出力する出力インタフェース部と，前記SONET／SDH伝送装置から受信される時分割多重光信号を，下流側に隣接する光伝送装置に送信される波長分割多重光信号に含まれる所定の第２の波長の光信号に変換して入力する入力インタフェース部と，前記出力インタフェース部の識別情報と前記第１の波長を表す情報とを含む第１の波長情報と，前記入力インタフェース部の識別情報と前記第２の波長を表す情報とを含む第２の波長情報とを記憶する記憶部と，前記下流側に隣接する光伝送装置に送信される波長分割多重信号に含まれる所定の第３の波長の光信号の所定の領域に前記第１および第２の波長情報を書き込む書き込み部と，前記上流側に隣接する光伝送装置からの波長分割多重光信号のうち，所定の第４の波長の光信号の所定の領域に書き込まれた前記第１および第２の波長情報を読み出し，前記記憶部に記憶する読み出し部と，を有する。
【００１６】
本発明の第２の側面によると，第１および第２の波長情報が隣接する光伝送装置に送信され，該隣接する光伝送装置から送信される。これにより，光伝送装置に障害等が発生し，波長情報が失われても，復旧時に，隣接する光伝送装置から各波長情報を受け取り，復旧した光伝送装置に自動的に設定することができる。
【００１７】
本発明の第３の側面による光伝送装置は，波長分割多重光信号を伝送するＷＤＭ伝送装置および時分割多重光信号を伝送するSONET／SDH伝送装置を含む複数の光伝送装置を有する光通信ネットワークシステムにおける各光伝送装置であって，自己と自己に隣接する光伝送装置との接続関係を示すインタフェース設定情報を記憶する記憶部と，前記インタフェース設定情報を前記隣接する光伝送装置に送信する送信部と，前記隣接する光伝送装置から送信された他の光伝送装置のインタフェース設定情報を受信して前記記憶部に記憶する受信部と，前記受信部により受信された前記他の光伝送装置のインタフェース設定情報を隣接する光伝送装置に転送する転送部と，を有する。
【００１８】
本発明の第３の側面によると，各光伝送装置は，光通信ネットワークシステムの全光伝送装置間の接続関係を示す情報を有する。これにより，最適な伝送経路の自動探索，設定等が可能となる。
【００１９】
一実施の形態において，前記光伝送装置は，隣接する光伝送装置に接続されて前記波長分割多重光信号または時分割多重光信号の入出力処理を行う１または２以上のインタフェース部をさらに有し，前記インタフェース設定情報は，前記インタフェース部と隣接する光伝送装置との接続関係を示す情報，または，前記インタフェース部と自己の光伝送装置内の他のインタフェース部との接続関係を示す情報である。
【００２０】
本発明の第４の側面による光伝送装置は，波長分割多重光信号を伝送するＷＤＭ伝送装置および時分割多重光信号を伝送するSONET／SDH伝送装置を含む複数の光伝送装置を有する光通信ネットワークシステムにおける各光伝送装置であって，前記光通信ネットワークシステムの各光伝送装置とその隣接する光伝送装置との接続関係を示すインタフェース設定情報を記憶する記憶部と，前記記憶部に記憶された前記インタフェース設定情報と，時分割多重光信号が該光通信ネットワークシステムにアッドされる第１の光伝送装置の識別情報と，該時分割多重光信号が該光通信ネットワークシステムからドロップされる第２の光伝送装置の識別情報とに基づいて，自己の光伝送装置から前記第２の光伝送装置に至るまでの経路を探索する探索部と，を有する。
【００２１】
本発明の第４の側面によると，インタフェース設定情報に基づいて，自己の光伝送装置から前記第２の光伝送装置に至るまでの経路が探索される。これにより，保守者等による各光伝送装置への設定を要することなく，光信号の伝送経路が，各光伝送装置により自動的に探索される。
【００２２】
本発明の一実施の形態によると，前記光伝送装置は，隣接する光伝送装置に接続されて前記波長分割多重光信号または時分割多重光信号の入出力処理を行う１または２以上のインタフェース部をさらに有し，前記インタフェース設定情報は，前記インタフェース部と隣接する光伝送装置内のインタフェース部との接続関係を示す情報，または，前記インタフェース部と自己の光伝送装置内の他のインタフェース部との接続関係を示す情報であり，前記第１の光伝送装置の識別情報は前記時分割多重光信号がアッドされるインタフェース部の識別情報であり，前記第２の光伝送装置の識別情報は前記時分割多重光信号がドロップされるインタフェース部の識別情報であり，前記探索部は，自己の光伝送装置のインタフェース部から前記ドロップされるインタフェース部に至るまでの経路を探索する。
【００２３】
本発明の第５の側面による光伝送装置は，隣接する光伝送装置との間で波長分割多重信号を送受信する光伝送装置であって，前記波長分割多重信号により送受信されている各波長の信号の障害を検出する波長障害検出部と，前記波長障害検出部により障害が検出されると，障害が検出された波長の信号により送信される信号を，他の未使用の波長の信号による送受信に切り替える切り替え部と，を有する。
【００２４】
これにより，ある特定の波長に障害が発生しても，伝送路全体を切り替えることなく，波長のみを切り替えることにより，障害の復旧を図ることができ，他の波長の信号断等を回避することができる。
【発明を実施するための最良の形態】
【００２５】
以下では，本発明の実施の形態について，ＷＤＭ伝送装置への波長情報の自動設定と，ＷＤＭ伝送装置を有する通信ネットワークシステムにおける光信号の経路の自動探索および自動設定とについて説明する。
【００２６】
＜波長情報の自動設定＞
図１は，本発明の一実施の形態によるＷＤＭ伝送装置１の構成を示すブロック図である。このＷＤＭ伝送装置１は，ＷＤＭリングを構成する伝送装置の１つであり，ＷＤＭ伝送装置１の上流側（前段）と下流側（後段）には，ＷＤＭリングを構成する他のＷＤＭ伝送装置（図示略）がそれぞれ接続されている。
【００２７】
また，このＷＤＭ伝送装置１は，一例として，第１および第２の２つのSONET／SDH伝送装置（図示略）に接続され，これらのSONET／SDH伝送装置からSONET／SDHのフレームフォーマットを有する光信号を受信（アッド）し，また，これらのSONET／SDH伝送装置に同フレームフォーマットの光信号を送信（ドロップ）する。
【００２８】
ＷＤＭ装置１は，受信側光増幅器（ＲＡＭＰ）１１ａ，１１ｂ，送信側光増幅器（ＴＡＭＰ）１２ａ，１２ｂ，分波器１３ａ，１３ｂ，合波器１４ａ，１４ｂ，ＯＳＣ処理部１５ａ，１５ｂ，スイッチ（ＳＷ）１６ａ〜１６ｃ，送信用トランスポンダ（ＲＸＰ）１７ａ，１７ｂ，受信用トランスポンダ（ＴＸＰ）１８ａ，１８ｂ，制御部１９，およびデータベース（ＤＢ）２０を備えている。
【００２９】
なお，ＲＸＰ１７ｃおよびＴＸＰ１８ｃは，後述するように，新たに増設される送信用トランスポンダおよび受信用トランスポンダをそれぞれ示している。また，ＷＤＭ伝送装置１には，分波器１３ａ，１３ｂと合波器１４ａ，１４ｂとのそれぞれの間に光スイッチが設けられることがある。また，ＷＤＭ伝送装置１には，スペクトルアナライザ（図示略）が設けられることがある。
【００３０】
ＲＡＭＰ１１ａ，１１ｂには，ＷＤＭにより多重化された複数の波長の光信号（以下「ＷＤＭ信号」という。）が，隣接するＷＤＭ伝送装置（図示略）からそれぞれ入力される。これらＷＤＭ信号のうちの１つの波長の光信号は，制御用に使用されるＯＳＣ信号であり，他の波長の光信号（以下「データ信号」という。）は，SONET／SDH伝送装置からアッドされ，あるいは，SONET／SDH伝送装置へドロップされる光信号である。各データ信号は，SONET／SDHのフレームフォーマットを有し，制御データ等を運ぶオーバヘッド部（以下「ＯＨ部」という。）と，ユーザデータを運ぶペイロード部とを有する。
【００３１】
ＲＡＭＰ１１ａ，１１ｂは，入力されたＷＤＭ信号からＯＳＣ信号を分離してＯＳＣ処理部１５ａ，１５ｂにそれぞれ与えるとともに，データ信号を増幅し，増幅後のデータ信号を分波器１３ａ，１３ｂにそれぞれ出力する。
【００３２】
分波器１３ａ，１３ｂは，入力されたＷＤＭ信号を波長ごとのデータ信号に分離し，分離された複数のデータ信号のうち，SONET／SDHにドロップするものをＳＷ１６ａ，１６ｂ（および１６ｃ）に与え，それ以外を合波器１４ａ，１４ｂにそれぞれ与える。
【００３３】
なお，本実施の形態では，SONET／SDH伝送装置からアッドされ，ドロップされるデータ信号を２つ（または３つ）としているが，これ以外の個数とすることもできる。
【００３４】
合波器１４ａ，１４ｂには，分波器１３ａ，１３ｂおよびＴＸＰ１８ａ，１８ｂ（および１８ｃ）からそれぞれ与えられた光信号が入力される。合波器１４ａ，１４ｂは，これら複数の波長の光信号を多重化してＷＤＭ信号とし，このＷＤＭ信号をＴＡＭＰ１２ａ，１２ｂにそれぞれ与える。
【００３５】
ＴＡＭＰ１２ａ，１２ｂは，合波器１４ａ，１４ｂからそれぞれ入力されたＷＤＭ信号にＯＳＣ処理部１５ａ，１５ｂからそれぞれ与えられたＯＳＣ信号を多重化するとともに，多重化されたＷＤＭ信号をそれぞれ増幅し，増幅後の光信号を下流側に隣接するＷＤＭ伝送装置（図示略）に光ファイバを介してそれぞれ出力する。
【００３６】
ＳＷ１６ａ，１６ｂ（および１６ｃ）は，分波器１３ａ，１３ｂから入力された光信号のうち，制御部１９により設定された一方の光信号を選択して出力する。
【００３７】
ＯＳＣ処理部１５ａ，１５ｂは，ＲＡＭＰ１１ａ，１１ｂにより分離されたＯＳＣ信号をそれぞれ処理するとともに，処理後のＯＳＣ信号をＴＡＭＰ１２ｂ，１２ａにそれぞれ出力する。また，ＯＳＣ処理部１５ａ，１５ｂは，ＯＳＣ信号に含まれる波長情報を読み出し，制御部１９に与えるとともに，制御部１９から与えられた波長情報をＯＳＣ信号に加える。波長情報については後述する。
【００３８】
ＲＸＰ１７ａ，１７ｂ（および１７ｃ）ならびにＴＸＰ１８ａ，１８ｂ（および１８ｃ）は，SONET／SDHインタフェース装置である。ＲＸＰ１７ａおよびＴＸＰ１８ａは，第１のSONET／SDH伝送装置（図示略）に光ファイバを介して接続され，ＲＸＰ１７ｂおよびＴＸＰ１８ｂは，第２のSONET／SDH伝送装置（図示略）に光ファイバを介して接続されている。
【００３９】
ＲＸＰ１７ａ，１７ｂ（および１７ｃ）は，ＳＷ１６ａ，１６ｂ（および１６ｃ）から与えられた単波長のデータ信号を受け取り，このデータ信号を一旦電気信号に変換した後，受信側のSONET／SDH伝送装置で規定される所定の波長の光信号に変換して送信する。データ信号が電気信号に変換された時に，ＲＸＰ１７ａ，１７ｂ（および１７ｃ）は，ＷＤＭ伝送装置１の波長情報（後述）をＯＨ部の所定の領域に書き込む。
【００４０】
ＴＸＰ１８ａ，１８ｂ（および１８ｃ）は，SONET／SDH伝送装置から光ファイバを介して送信されたSONET／SDHのフレームフォーマットを有する光信号（単波長）を受信し，受信した光信号を一旦電気信号に変換した後，制御部１９により設定された所定の波長の光信号（データ信号）に変換して，合波器１４ａ，１４ｂに与える。光信号が電気信号に変換された時に，ＴＸＰ１８ａ，１８ｂ（および１８ｃ）は，ＯＨ部の所定の領域に書き込まれたＷＤＭ伝送装置１の波長情報（後述）をそれぞれ読み出し，制御部１９に与える。
【００４１】
制御部１９は，ＲＡＭＰ１１ａ，１１ｂ，ＴＡＭＰ１２ａ，１２ｂ，ＳＷ１６ａ〜１６ｃ等を制御するとともに，波長情報について後述する処理を行う。なお，制御部１９は，ＯＳＣ処理部１５ａ，１５ｂ，ＳＷ１６ａ〜１６ｃ，ＲＸＰ１７ａ，１７ｂ（および１７ｃ），ＴＸＰ１８ａ，１８ｂ（および１８ｃ）等に制御信号を与え，また，これらの構成要素から状態等を表す信号を受け取るが，これら信号線は，図面を見やすくするために省略されている。
【００４２】
ＤＢ２０は，自己のＷＤＭ伝送装置１の波長情報ならびに上流側および下流側に隣接するＷＤＭ伝送装置の波長情報を記憶する。
【００４３】
ここで，「波長情報」は，SONET／SDH伝送装置からＷＤＭ伝送装置にアッドされる光信号を受信するＴＸＰの識別情報とこの光信号に割り当てられるＷＤＭの波長とを対応させた情報，または，ＷＤＭ伝送装置からSONET／SDH伝送装置へドロップされるデータ信号を送信するＲＸＰの識別情報とこのデータ信号のＷＤＭの波長とを対応させた情報である。ＴＸＰの識別情報は，１つのＷＤＭ伝送装置内において，あるＴＸＰを他のＴＸＰから一意に識別するための情報であり，ＲＸＰの識別情報は，１つのＷＤＭ伝送装置内において，あるＲＸＰを他のＲＸＰから一意に識別するための情報である。
【００４４】
たとえば，ＲＸＰ１７ａの識別情報をＩＤＲ１とし，ＳＷ１６ａからＲＸＰ１７ａに入力されるデータ信号の波長をλｉとすると，波長情報はＩＤＲ１およびλｉの組｛ＩＤＲ１，λｉ｝により表される。また，ＴＸＰ１８ａの識別情報をＩＤＴ１とし，ＴＸＰ１８ａから出力されるデータ信号の波長をλｊとすると，波長情報は｛ＩＤＴ１，λｊ｝により表される。
【００４５】
ＷＤＭ伝送装置１には，２つのＴＸＰおよび２つのＲＸＰが設けられているので，ＤＢ２０は４組の波長情報を有することとなる。
【００４６】
ＷＤＭ伝送装置１の４組の波長情報（自波長情報）は，制御部１９によりＤＢ２０から読み出され，ＲＸＰ１７ａ，１７ｂに与えられる。ＲＸＰ１７ａ，１７ｂは，前述したように，この波長情報をSONET／SDHのフレームフォーマットにおけるＯＨ部の所定の領域に書き込み，第１および第２のSONET／SDH伝送装置にそれぞれ送信する。
【００４７】
ＯＨ部の所定の領域としては，未使用の領域が使用される。また，波長情報の情報量（ビット数）が多いために，１つのフレームのＯＨ部に全ての波長情報を１度に書き込めない場合には，波長情報は複数のフレームのＯＨ部に分割されて送信されることとなる。
【００４８】
ＲＸＰ１７ａ，１７ｂからSONET／SDH伝送装置に送信された自波長情報は，SONET／SDH伝送装置の内部の記憶装置に記憶される。そして，SONET／SDH伝送装置は，内部の記憶装置に記憶された自波長情報を読み出し，ＯＨ部に書き込んで，ＷＤＭ伝送装置１に送信する。ＴＸＰ１８ａ，１８ｂは，受信したフレームのＯＨ部に含まれる自波長情報を読み出し，読み出した自波長情報を制御部１９に与える。
【００４９】
制御部１９は，ＴＸＰ１８ａ，１８ｂからそれぞれ与えられた自波長情報をＤＢ２０に記憶する。なお，制御部１９は，ＴＸＰ１８ａ，１８ｂからそれぞれ与えられた自波長情報がすでにＤＢ２０に記憶されているかどうかを判断し，記憶されていない場合にのみ，与えられた自波長情報をＤＢ２０に記憶し，すでに記憶されている場合には，記憶を行わなくてもよい。
【００５０】
このように，自波長情報が，隣接するSONET／SDH伝送装置に送信され，SONET／SDH伝送装置に記憶されるとともに，該SONET／SDH伝送装置から折り返し返信されることにより，たとえばＷＤＭ伝送装置１に障害が発生し，ＤＢ２０内の自波長情報が消失した場合であっても，障害回復後，ＷＤＭ伝送装置１が立ち上げられると，自波長情報が隣接するSONET／SDH伝送装置から送信される。これにより，ＷＤＭ伝送装置は自動的に自波長情報を得ることができ，自波長情報はＤＢ２０に自動的に記憶される。したがって，保守者（オペレータ）が自波長情報を新たにＤＢ２０に設定する必要がなく，保守者の操作が省略される。
【００５１】
制御部１９は，自波長情報をＯＳＣ処理部１５ａ，１５ｂにも与える。ＯＳＣ処理部１５ａ，１５ｂは，自波長情報をＯＳＣ信号の所定の領域に書き込んでＴＡＭＰ１２ｂ，１２ａにそれぞれ与える。これにより，自波長情報は，隣接するＷＤＭ伝送装置に送信される。
【００５２】
隣接するＷＤＭ伝送装置は，自波長情報を自己のＤＢに記憶するとともに，ＯＳＣ信号によって，ＷＤＭ伝送装置１に返信する。これによっても，ＷＤＭ伝送装置１が障害等によって自波長情報を失っても，障害回復後，ＷＤＭ伝送装置１は，自動的に自波長情報を隣接するＷＤＭ伝送装置から得ることができる。特に，SONET／SDH伝送装置とのインタフェース装置（ＴＸＰ，ＲＸＰ）を有しないＷＤＭ伝送装置の場合に有効となる。
【００５３】
同様にして，隣接するＷＤＭ伝送装置は，自己の波長情報（隣接波長情報）をＯＳＣ信号（所定の領域）によってＷＤＭ伝送装置１に送信する。この隣接波長情報は，ＯＳＣ処理部１５ａ，１５ｂによってそれぞれ読み出され，制御部１９に与えられる。制御部１９は，隣接波長情報をＤＢ２０に記憶する。なお，制御部１９は，ＯＳＣ処理部１５ａ，１５ｂからそれぞれ与えられる波長情報と同じ波長情報がＤＢ２０にすでに記憶されているかどうかを判断し，すでに記憶されている場合には，記憶処理を省略してもよい。
【００５４】
制御部１９は，ＤＢ２０に記憶されている隣接波長情報を読み出し，ＯＳＣ処理部１５ａ，１５ｂに与える。ＯＳＣ処理部１５ａにより受信された隣接波長情報はＯＳＣ処理部１５ａに与えられ，ＯＳＣ処理部１５ｂにより受信された隣接波長情報はＯＳＣ処理部１５ｂに与えられる。
【００５５】
ＯＳＣ処理部１５ａ，１５ｂは，制御部１９から与えられた隣接波長情報をＯＳＣ信号によりＴＡＭＰ１２ｂ，１２ａにそれぞれ与える。これにより，隣接波長情報は，隣接するＷＤＭ伝送装置にそれぞれ返信される。これにより，隣接するＷＤＭ伝送装置に障害が発生しても，隣接するＷＤＭ伝送装置は，障害回復後に隣接波長情報をＷＤＭ伝送装置１から得ることができ，オペレータの操作を要することなく，隣接波長情報を自己のＤＢに設定することができる。特に，隣接するＷＤＭ伝送装置がSONET／SDHインタフェースを有しない場合に有効となる。
【００５６】
ＷＤＭ伝送装置１に新たな第３のSONET／SDH伝送装置（図示略）が接続される場合に，ＷＤＭ伝送装置１には，第３のSONET／SDH伝送装置のインタフェース装置であるＲＸＰ１７ｃおよびＴＸＰ１８ｃが取り付けられる。この取り付けは，たとえばＷＤＭ伝送装置１の空きスロット等に，カード形式のＲＸＰ１７ｃおよびＴＸＰ１８ｃが差し込まれることにより行われる。
【００５７】
この取り付けにより，検出信号が制御部１９に与えられる。制御部１９は，検出信号を受信すると，新たに取り付けられたＲＸＰ１７ｃおよびＴＸＰ１８ｃに識別情報およびＷＤＭにおける未使用（空き）の波長（ＳＷ１６ｃに入力されるデータ信号の波長）を割り当てる。
【００５８】
ＤＢ２０には，ＷＤＭの波長のうち，すでに使用されている波長（使用波長）および未使用の波長が記憶されており，制御部１９は，ＤＢ２０から未使用波長の任意のもの（たとえば未使用波長のうち，最も短い波長）を選択して，割り当てる。制御部１９は，割り当て後，ＤＢ２０において，割り当てた波長を，未使用波長から使用波長に変更する。
【００５９】
これにより，ＴＸＰ１８ｃは，第３のSONET／SDH伝送装置から与えられるSONET／SDH信号を，割り当てられた波長（λｋとする。）のデータ信号に変換して，合波器１４ａ，１４ｂに与える。また，ＲＸＰ１７ｃは，ＳＷ１６ｃから与えられる波長λｋのデータ信号をSONET／SDH伝送装置の波長の光信号に変換して第３のSONET／SDH伝送装置に送信する。
【００６０】
また，制御部１９は，ＲＸＰ１７ｃおよびＴＸＰ１８ｃの各識別情報および割り当てた波長λｋから２組の波長情報を生成してＤＢ２０に記憶するとともに，生成した２組の波長情報をＲＸＰ１７ｃ，ＯＳＣ処理部１５ａ，１５ｂに与える。これにより新たに生成された波長情報も，すでに存在する波長情報と同様にして第３のSONET／SDH伝送装置および隣接するＷＤＭ伝送装置に送信され記憶されるとともに，折り返しＷＤＭ伝送装置１に返信される。
【００６１】
ＯＳＣ処理部１５ａ，１５ｂおよびＴＸＰ１８ｃは，この新たな波長情報も取り出し，制御部１９に与え，制御部１９は，これをＤＢ２０に記憶する。これにより，新たに取り付けられたSONET／SDHインタフェース装置の波長情報についても，他のSONET／SDH伝送装置または隣接するＷＤＭ伝送装置から得ることができる。
【００６２】
なお，ＯｐＳによるプロビジョニングの際に，新たに追加されたSONET／SDHインタフェース装置の検出，空き波長の設定等が行われてもよい。また，波長情報を伝送する信号は，ＯＳＣ信号以外の波長のデータ信号を使用することもできる。
【００６３】
ＷＤＭリングを構成するすべてのＷＤＭ伝送装置間で，各ＷＤＭ伝送装置の波長情報を共有することもできる。この場合，各ＷＤＭ伝送装置のＯＳＣ処理部は，自己のＷＤＭ伝送装置の波長情報をＯＳＣ信号に加えるとともに，隣接するＷＤＭ伝送装置から送信されてきたＯＳＣ信号から自己のＷＤＭ伝送装置および他のＷＤＭ伝送装置の波長情報（すなわちＷＤＭリングを構成する全ＷＤＭ伝送装置の波長情報）を取り出す。そして，各ＷＤＭ伝送装置の制御部は，取り出された全ＷＤＭ伝送装置の波長情報を自己のＤＢに記憶する。
【００６４】
同様にして，ＷＤＭリングを構成するすべてのＷＤＭ伝送装置の波長情報をSONET／SDH伝送装置に送信し，SONET／SDH伝送装置に記憶させるとともに，SONET／SDH伝送装置から折り返し返信させることもできる。
【００６５】
なお，このように全ＷＤＭ伝送装置の波長情報を共有する場合には，どのＷＤＭ伝送装置の波長情報であるかを区別できるようにするために，波長情報には，ＷＤＭ伝送装置の識別情報（ノードＩＤ）が付加される。そして，ノードＩＤと波長情報との組がＯＳＣ信号により伝送され，ＤＢに記憶される。
【００６６】
＜経路の自動探索および自動設定＞
複数のＷＤＭ伝送装置およびSONET／SDH伝送装置から構成される通信ネットワークシステムにおいて，ある伝送装置から他の伝送装置への経路（最適経路を含む。）を自動的に求める場合の処理について説明する。
【００６７】
経路を探索するために，各伝送装置は，自己のインタフェース装置（以下「ＩＦ装置」という。）の事前設定情報を保持するとともに，他のすべての伝送装置に，自伝送装置のインタフェース設定情報（以下「ＩＦ設定情報」という。），使用可能波長情報，経路設定情報，および障害情報を通知（広告）する。そして，各伝送装置は，通知されたこれらの情報も保持する。
【００６８】
図２Ａおよび２Ｂは，ＩＦ装置の事前設定情報を示している。この事前設定情報は，保守者等によってＷＤＭ伝送装置およびSONET／SDH伝送装置に事前に設定され，たとえば，ＷＤＭ伝送装置のＤＢ２０（SONET／SDH伝送装置では，ＤＢ２０に相当する内部記憶装置）に記憶される。また，前述した図１に示すように，ＩＦ装置として，ＷＤＭ伝送装置に新たなＴＸＰ，ＲＸＰが取り付けられた場合には，この新たなＩＦ装置の事前設定情報も記憶される。
【００６９】
事前設定情報は，ＷＤＭ伝送装置またはSONET／SDH伝送装置が，隣接する伝送装置との接続用のＩＦ装置としてどのようなＩＦ装置を有するかを示す情報である。
【００７０】
図４は，事前設定情報を説明するためのネットワーク構成図の一例であり，リング接続されているノードのＩＦ装置とリング接続されていないノードのＩＦ装置とを示している。図４では，２つのＷＤＭリングＲ１，Ｒ２，ＷＤＭリングＲ１上のＷＤＭ伝送装置Ａ，Ｂ，Ｃ，ＷＤＭリングＲ２上のＷＤＭ伝送装置Ｄ，およびSONET／SDH伝送装置Ｅが示されている。
【００７１】
たとえば，ＷＤＭ伝送装置Ａは，隣接するＷＤＭ伝送装置ＢとのＩＦ装置としてＩＦ装置０を有する。このＩＦ装置０は，図１のＷＤＭ伝送装置の構成図では，たとえば分波器１３ａ，１３ｂおよび合波器１４ａ，１４ｂを含む。また，ＷＤＭ伝送装置Ａは，SONET／SDH伝送装置ＥとのＩＦ装置（ＲＸＰおよびＴＸＰ）としてＩＦ装置１を有し，ＷＤＭリングＲ２とのSONET／SDHのＩＦ装置としてＩＦ装置２を有する。一方，SONET／SDH伝送装置Ｅは，SONET／SDHのＩＦ装置１，２を有する。
【００７２】
事前設定情報は，図２Ａに示すように，リング接続されたＷＤＭ伝送装置のＩＦ装置の場合と，図２Ｂに示すように，リング接続されていないSONET／SDH伝送装置のＩＦ装置の場合とに分けられる。なお，以下では，ＷＤＭ伝送装置およびSONET／SDH伝送装置をノードと総称することもある。
【００７３】
リング接続されたノードのＩＦ装置の事前設定情報は，ＮＥ番号，ＩＦ番号，負荷設定値，所属リング番号，隣接ＮＥ−ＩＦ番号，およびデフォルト経路を有する。リング接続されていないノードのＩＦ装置の事前設定情報は，ＮＥ番号，ＩＦ番号，負荷設定値，所属リング番号，および隣接ＮＥ−ＩＦ番号を有する。
【００７４】
「ＮＥ番号」は，該ＩＦ装置が設けられているノードの識別情報であり，通信ネットワークシステムにおいてノードを一意に識別するための情報である。たとえば，図４では，符号Ａ〜ＥがＮＥ番号となる。
【００７５】
「ＩＦ番号」は，ＩＦ装置の識別情報であり，１つのノード内で一意な情報である。図４では，符号０，１，２等がＩＦ番号である。
【００７６】
なお，以下では，通信ネットワークシステム上でＩＦ装置を一意に識別するために，ＮＥ番号とＩＦ番号との組「ＮＥ−ＩＦ番号」（たとえばＮＥ番号がＡであり，ＩＦ番号が１の場合に符号Ａ１）によりＩＦ番号を表す場合がある。また，リング接続されたノードにおいて，ＷＤＭリングに接続されているＩＦ装置のＩＦ番号には，符号０を付けることとする。それ以外のＩＦ装置のＩＦ番号には，０以外の符号を付けることとする。
【００７７】
「負荷設定値」は，そのＩＦ装置が有する帯域（伝送速度）や，隣接するＩＦ装置との距離の指標を表す数値であり，伝送速度を表す数値とＩＦ装置間の距離とを含む。
【００７８】
「所属リング番号」は，ＩＦ装置のノードが所属するリングの識別情報であり，ノードがリングに所属していない場合には０（０はリングの識別情報としては利用されない。）が設定される。たとえば，図４において，ノードＡ〜Ｃの所属リング番号はＲ１となり，ノードＥの所属リング番号はＲ２となる。また，ノードＥはリングに所属していないので，その所属リング番号は０となる。
【００７９】
「隣接ＮＥ−ＩＦ番号」は，該ＩＦ装置が接続されている隣接ノードのＩＦ装置の識別情報であり，隣接ノードのＮＥ番号と隣接ノードのＩＦ番号との組からなる。
【００８０】
ＷＤＭリングにリング接続されているＩＦ装置には，左側の隣接ノードのＩＦ装置のＮＥ−ＩＦ番号が隣接ＮＥ−ＩＦ番号（Ｌ）として，右側の隣接ノードのＩＦ装置のＮＥ−ＩＦ番号が隣接ＮＥ−ＩＦ番号（Ｒ）として，それぞれ設定される。たとえば，図４のＩＦ装置Ａ０の隣接ＮＥ−ＩＦ番号（Ｌ）はＣ０となり，隣接ＮＥ−ＩＦ番号（Ｒ）はＢ０となる（図３Ａ参照）。
【００８１】
また，SONET／SDH伝送装置に接続されたＷＤＭ伝送装置（以下「境界ノード」ともいう。）において，リング接続されたＩＦ装置には，SONET／SDHのＩＦ装置が隣接ＮＥ−ＩＦ番号（Ｐ０）として設定される。たとえばＩＦ装置Ａ０に対しては，ノードＡのSONET／SDHのＩＦ装置１，２が隣接ＮＥ−ＩＦ番号（Ｐ０）として設定される（図３Ｂ参照）。
【００８２】
一方，ＩＦ装置Ａ１のように，ＷＤＭ伝送装置におけるSONET／SDHのＩＦ装置には，隣接ＮＥ−ＩＦ番号（Ｌ）および（Ｒ）は設定されず，SONET／SDH伝送装置側のＩＦ装置Ｅ１が隣接ＮＥ−ＩＦ番号（Ｐ０）として設定される。ＩＦ装置Ａ２についても同様に，Ｄ２がＮＥ−ＩＦ番号（Ｐ０）として設定される。
【００８３】
ノードＥのように，リング接続されていないノード（SONET／SDH伝送装置）のＩＦ装置については，ノード外部のＮＥ−ＩＦ番号が隣接ＮＥ−ＩＦ番号（Ｐ１）として，ノード内部のＮＥ−ＩＦ番号が隣接ＮＥ−ＩＦ番号（Ｐ２）として，それぞれ設定される。たとえば，図４のＩＦ装置Ｅ１の隣接ＮＥ−ＩＦ番号（Ｐ１）（外部ＮＥ−ＩＦ番号）はＡ１となり，隣接ＮＥ−ＩＦ番号（Ｐ２）（内部ＮＥ−ＩＦ番号）はＥ２となる（図３Ｃ参照）。
【００８４】
「デフォルト経路」は，後述する伝送経路を選択する際に，同じ条件の伝送経路が複数存在する場合に，伝送経路の優先度付けを行うために使用される。なお，このデフォルト経路は，リング接続でないノードのＩＦ装置の事前設定情報には設けられない。
【００８５】
図５Ａおよび５Ｂは，各ノードによって通信ネットワークシステム上の全ノードに送信（広告）されるＩＦ設定情報を示している。このＩＦ設定情報は，図２Ａおよび２Ｂに示す事前設定情報から負荷設定値を除いたものである。
【００８６】
このＩＦ設定情報の送信は，前述したように，ＷＤＭ伝送装置間ではＯＳＣ信号のような所定の波長の光信号によって行われ，ＷＤＭ伝送装置とSONET／SDH伝送装置との間およびSONET／SDH伝送装置間ではSONET／SDHフレームのＯＨ部の所定の領域にデータを格納することにより行われる。
【００８７】
各ノードは，ＩＦ設定情報を受信すると，受信したＩＦ設定情報を自己の内部記憶装置（たとえばＤＢ２０）に記憶するとともに，該ＩＦ設定情報を自己に送信したノード（すなわち受信側に位置するノード）以外の他の隣接ノードに，受信したＩＦ設定情報を送信（転送）する。これにより，各ノードのＩＦ設定情報は，すべてのノードに送信（広告）され，各ノードは，すべてのノードのＩＦ設定情報を記憶することとなる。これにより，各ノードは，どのノードのどのＩＦ装置がどのノードのどのＩＦ装置に接続されているかの接続情報を有することとなる。
【００８８】
図６は，使用可能波長情報を示している。リング接続されたＷＤＭ伝送装置は，左側に隣接するＷＤＭ伝送装置へ送信されるデータ信号の波長のうち未使用の波長（左側使用可能波長）ＷＬと，右側に隣接するＷＤＭ伝送装置へ送信されるデータ信号の波長のうち未使用の波長（右側使用可能波長）ＷＲとを送信する。
【００８９】
未使用の波長が複数存在する場合には，複数の波長がＷＬ，ＷＲによって送信される。たとえば，左側に隣接するＷＤＭ伝送装置へ送信されるデータ信号の波長のうち未使用の波長がλｉおよびλｊである場合には，左側使用可能波長）ＷＬとして，λｉおよびλｊが送信される。
【００９０】
この使用可能波長情報も，ＩＦ設定情報と同様に，すべてのノードに送信され，各ノードで記憶される。なお，ＩＦ設定情報および使用可能波長情報は，同時に送信されてもよいし，個別に送信されてもよい。
【００９１】
図７は，経路設定情報を示している。経路設定情報は，最適な伝送経路が選択された後，その伝送経路上に存在している各ノードの各ＩＦ装置に選択された伝送経路を設定するために使用される情報である。この経路設定情報も，ＯＳＣ信号やＯＨ部により，すべてのノードに送信され，各ノードで記憶される。
【００９２】
ここで，自ＮＥ−ＩＦ番号，宛先ＮＥ−ＩＦ番号，および始点ＮＥ−ＩＦ番号は，前述したように，ＮＥ番号とＩＦ番号との組からなる。自ＮＥ−ＩＦ番号は，経路探索の基点となるＩＦ装置のＮＥ−ＩＦ番号である。宛先ＮＥ−ＩＦ番号は光信号が通信ネットワークシステムから外部にドロップされるＩＦ装置のＮＥ−ＩＦ番号である。始点ＮＥ−ＩＦ番号は光信号が外部から通信ネットワークシステムにアッドされるＩＦ装置のＮＥ−ＩＦ番号である。
【００９３】
図８Ａおよび８Ｂは，障害情報を示している。障害情報は，伝送路またはＷＤＭ信号の特定の波長に障害が発生した場合に，その障害を検出したノードが他のノードに障害の発生を通知するために送信される情報である。障害を検出するノードは，障害が発生した伝送路または波長が接続されているノード（特に光信号の下流側に位置するノード）である。
【００９４】
障害情報は，障害発生を表すデータ「障害発生」と，障害が発生した伝送路または波長の両端に位置する２つのＩＦ装置のＮＥ−ＩＦ番号と，特定の波長にのみ障害が発生した場合に含まれる，障害が発生した波長を表す「傷害発生波長」とを有する。この障害情報は，障害検出時にＯＳＣ信号またはＯＨ部により全ノードに通知される。
【００９５】
次に，通信ネットワークシステムに外部から光信号がアッドされる始点ＩＦ装置から，該光信号が外部にドロップされる宛先ＩＦ装置までの経路の探索および探索された経路のうち最適な経路の選択方法について説明する。
【００９６】
図９から図１１は，始点ＩＦ装置から宛先ＩＦ装置までの経路探索および経路選択の処理の流れを示すフローチャートである。図１０は図９のトポロジー作成処理（Ｓ２）の詳細な処理の流れを示し，図１１は図９の最適伝送経路選択処理（Ｓ３）の詳細な処理の流れを示している。
【００９７】
図１２は，複数のＷＤＭリングがSONET／SDH伝送装置により接続されている通信ネットワークシステムの構成例を示している。この構成例を用いて，最適伝送経路選択処理の具体例を説明することとする。
【００９８】
図１２の通信ネットワークシステムは，ＷＤＭリングＲ１，Ｒ２，およびＲ３を有する。ＷＤＭリングＲ１はＷＤＭ伝送装置Ａ〜Ｃを有する。ＷＤＭリングＲ２はＷＤＭ伝送装置Ｄ〜Ｆを有する。ＷＤＭリングＲ３はＷＤＭ伝送装置Ｇ〜Ｉを有する。
【００９９】
ＷＤＭリングＲ１とＲ２とは，ＩＦ装置Ｂ１とＤ１とのSONET／SDHインタフェースにより接続されている。ＷＤＭリングＲ１とＲ３とは，ＩＦ装置Ｃ１とＨ１とのSONET／SDHインタフェース，および，ＩＦ装置Ｃ２とＨ２とのSONET／SDHインタフェースにより接続されている。ＩＦ装置Ｃ２とＨ２との間の距離は，ＩＦ装置Ｃ１とＨ１との間の距離よりも大きいものとする。ＷＤＭリングＲ２とＲ３とは，ＩＦ装置Ｆ１とＧ１とのSONET／SDHインタフェースにより接続されている。
【０１００】
ＷＤＭリングＲ１，Ｒ２，およびＲ３における括弧付きの数字は，ＷＤＭ伝送装置間での未使用波長の個数を表す。左側および右側ともに同数の未使用波長が存在するものとする。たとえば，ノードＡとＣとの間には，未使用波長が３つある。
【０１０１】
ここで，ノード（ＷＤＭ伝送装置）ＡのＩＦ装置Ａ１にアッドされ，ノードＩのＩＦ装置Ｉ２からドロップされる光信号の経路の探索および最適経路の選択について説明する。
【０１０２】
保守者等は，ＯｐＳを介して，ノードＡに増設されたＩＦ装置Ａ１の事前設定情報を登録する。なお，ＯｐＳは，図１２のある特定のノード（ノードＡを含む。）に設けられる場合もあるし，ノードとは別の装置として設けられる場合もある。
【０１０３】
ノードＡにＩＦ装置Ａ１の事前設定情報が登録（記憶）されると，ＩＦ装置Ａ１のＩＦ設定情報が，ＯＳＣ信号等によって全ノードに送信され，記憶される。
【０１０４】
続いて，ＯｐＳを介して，始点ＮＥ−ＩＦ番号Ａ１および宛先ＮＥ−ＩＦ番号Ｉ２がノードＡに設定される。ノードＡ（たとえば図１の制御部１９）は，ＩＦ装置Ａ１が接続されているＩＦ装置がＩＦ装置Ａ０であることを事前設定情報により求め，ＩＦ装置Ａ０を自ＮＥ−ＩＦ番号とする経路設定情報（図７参照）を作成する（図９のＳ１）。この経路設定情報の宛先ＮＥ−ＩＦ番号はＩ２であり，始点ＮＥ−ＩＦ番号はＡ１である。
【０１０５】
続いて，ノードＡは，経路設定情報およびＩＦ設定情報に基づいて，経路の探索および最適経路の選択に必要な構成情報であるトポロジー情報を作成する（Ｓ２）。図１３は，トポロジー情報の一例を示している。
【０１０６】
まず，ノードＡは，経路設定情報の自ＮＥ−ＩＦ番号，始点ＮＥ−ＩＦ番号，および宛先ＮＥ−ＩＦ番号をトポロジー情報に設定する（図１０のＳ２１）。ここでは，自ＮＥ−ＩＦ番号としてＡ０，始点ＮＥ−ＩＦ番号としてＡ１，宛先ＮＥ−ＩＦ番号としてＩ２が，トポロジー情報にそれぞれ設定される。
【０１０７】
続いて，ノードＡは，宛先ＮＥ−ＩＦ番号およびＩＦ設定情報に基づいて，宛先ＩＦ装置が所属するリング番号を求め，求めたリング番号をトポロジー情報に設定する（Ｓ２２）。宛先ＩＦ装置Ｉ２はノードＩに含まれ，ノードＩはリングＲ３に所属するので，宛先ＩＦ装置が所属するリング番号はＲ３となる。
【０１０８】
次に，ノードＡは，ＩＦ設定情報に基づいて，ノードＡ（自ＩＦ装置Ａ０または始点ＩＦ装置Ａ１）の所属リングＲ１から宛先ＩＦ装置Ｉ２の所属リングＲ３に対して接続可能な境界ＩＦ装置を抽出し，抽出した境界ＩＦ装置のＮＥ−ＩＦ番号をトポロジー情報に設定する（Ｓ２３）。
【０１０９】
ここで，境界ＩＦ装置は，所属リングＲ１の境界ノードにおいてＮＥ−ＩＦ番号として０を有するＩＦ装置である。図１２のネットワーク構成例では，ＩＦ装置Ｂ０およびＣ０がリングＲ３に接続可能な伝送路を有するので，ＩＦ装置Ｂ０およびＣ０が境界ＩＦ装置として抽出され，この番号Ｂ０およびＣ０がトポロジー情報に設定される。
【０１１０】
次に，ノードＡは，リングＲ１とＲ３とを接続するSONET／SDHインタフェースの伝送速度が，始点ＩＦ装置Ａ１にアッドされる光信号の伝送速度に耐えうるかを，負荷設定値（帯域情報）に基づいて確認する。そして，ノードＡは，SONET／SDHインタフェースの伝送速度が，アッドされる光信号の伝送速度よりも小さいために使用できない区間がある場合には，トポロジー情報に使用不可区間として設定する（Ｓ２４）。アッドされる光信号の伝送速度は，保守者等によってノードＡにあらかじめ設定される。
【０１１１】
たとえば，図１２において，アッドされる光信号の伝送速度が６００Ｍｂｐｓであるのに対し，ＩＦ装置Ｃ２（SONET／SDHインタフェース）からＩＦ装置Ｈ２までの経路（「第１経路」とする。）の伝送速度が５０Ｍｂｐｓ，ＩＦ装置Ｃ１からＨ１までの経路（「第２経路」とする。）の伝送速度が１５０Ｍｂｐｓ，ＩＦ装置Ｂ１からＤ１，Ｆ１を経由してＧ１までの経路（「第３経路」とする。）の伝送速度が２．４Ｇｂｐｓである場合に，第３経路が伝送可能な経路となる。よって，伝送可能な経路のみが選択され，それ以外の第１経路および第２経路は使用不可区間としてトポロジー情報に設定される。
【０１１２】
ここでは，第１経路から第３経路のすべての伝送速度に差はないものとし，すべての経路が，アッドされる光信号を伝送できる伝送速度を有するものとする。
【０１１３】
次に，ノードＡは，ＩＦ設定情報およびトポロジー情報に基づいて，境界ＩＦ装置から宛先リングまでのすべての経路を抽出する（Ｓ２５）。図１２では，第１経路から第３経路が抽出される。
【０１１４】
続いて，抽出された経路が複数存在する場合には，ノードＡは，経路の優先度（優先順位）を設定する。この優先度は，光信号の伝送効率を良くするために，SONET／SDHインタフェース装置の接続数が少ない経路に高い優先度与えるように設定される。このため，ノードＡは，SONET／SDHインタフェースの接続数をＩＦ設定情報に基づいて求め，この接続数に基づいてリング接続の優先度（優先順位）をトポロジー情報に設定する（Ｓ２６）。
【０１１５】
図１２のネットワーク構成例では，まず，リングＲ１からリングＲ３に接続可能な境界ＩＦ装置Ｂ０およびＣ０からリングＲ３へのすべての経路がＩＦ設定情報より求められる。そして，その際，通過したリングのリング番号が変化した回数を抽出することにより，この変化した回数が各伝送経路のSONET／SDHインタフェースの接続数として求められる。
【０１１６】
たとえば，第１経路では，リング番号がリングＲ１からＲ３へ１回変化しているので，SONET／SDHインタフェースの接続数は１となる。同様にして，第２経路のSONET／SDHインタフェースの接続数は１となり，第３経路のSONET／SDHインタフェースの接続数は２となる。
【０１１７】
なお，図１４に示すネットワーク構成例のように，伝送経路がリングに所属しない複数のノード（SONET／SDH伝送装置）Ｋ，Ｌを通過する場合には，この複数のＮＥ番号が変化した回数もSONET／SDHインタフェースの接続数として数えられる。したがって，図１４では，接続数が３となる。
【０１１８】
また，２つの経路のSONET／SDHインタフェース接続数が同じである場合や，一方の伝送路のSONET／SDHインタフェース接続数が他方のそれよりも少ない場合であっても，一方の経路の長さが他方のそれよりも長いときや，一方の経路のトラフィック量が他方のそれよりも多い（すなわち一方の経路の未使用帯域が他方よりも少ない）ときは，長さの短い経路や，未使用帯域の多い経路を選択することが好ましい。
【０１１９】
このため，抽出された経路が接続されている始点側のＩＦ装置のＩＦ設定情報から得られる負荷設定値を用いて，SONET／SDHインタフェースの接続数を決定することができる。
【０１２０】
たとえば，図１２では，第１経路と第２経路のSONET／SDHインタフェースの接続数はともに１で同じであるが，第１経路は第２経路よりも遥かに長く，このため，ＩＦ装置Ｃ２の負荷設定値のうちＩＦ装置間の距離に関する負荷設定値が１０に設定され，ＩＦ装置Ｃ１の距離に関する負荷設定値が１に設定されていると仮定する。この場合に，第１経路のSONET／SDHインタフェースの接続数は１×１０＝１０に設定され，第２経路のSONET／SDHインタフェースの接続数は１×１＝１に設定される。この結果，第１経路よりも第２経路の優先度が高く設定される。
【０１２１】
このように，ノードＡは，リング間を接続する第１経路から第３経路の優先度を求め，求めた優先度をトポロジー情報の「リング接続の優先度」に設定する。図１３のトポロジー情報では，第２経路，第３経路，第１経路の順で優先度が設定されている。
【０１２２】
これにより，トポロジー情報作成処理（図９のＳ２）が終了する。
【０１２３】
次に，ノードＡは，ＩＦ設定情報およびトポロジー情報に基づいて，始点ＩＦ装置から宛先ＩＦ装置の全経路の探索処理および最適経路の選択処理を実行する（図９のＳ３）。
【０１２４】
まず，ノードＡは，経路選択方法を選択する（Ｓ３１）。経路選択方法には，本実施の形態では，方法αおよびβの２つがある。方法αは，自ＩＦ装置から宛先ＩＦ装置に至るまでに通過するＩＦ装置数が最小となる経路を選択する方法（最短距離選択方法）である。方法βは，自ＩＦ装置から宛先ＩＦ装置までに通過する伝送路の未使用波長数が少ない経路を避けて，経路を選択する方法（トラフィック輻輳回避選択方法）である。いずれの方法を使用するかは，ＯｐＳによってノードＡにあらかじめ設定されている。
【０１２５】
方法αが選択された場合に（図１１のＳ３１で「α」），ノードＡは，まず，トポロジー情報により優先度の高い経路を選択する（Ｓ３２）。図１２では，図１３のトポロジー情報に示すように，第１経路から第３経路の３経路のうち，第２経路の優先度が最も高いので，第２経路［Ｃ０−Ｃ１−Ｈ１−Ｈ０］（大括弧内の符号はＮＥ−ＩＦ番号であり，以下，経路をこのようにＮＥ−ＩＦ番号の並びにより表す。）が選択される。
【０１２６】
第２経路は，リングＲ１ではＩＦ装置Ｃ０を通過する。したがって，ノードＡは，自ＩＦ装置Ａ０からＣ０への経路をＩＦ設定情報に基づいて探索し，リングＲ１において時計方向と反時計方向の２つの経路を探索する。時計方向の経路は［Ａ０−Ｂ０−Ｃ０］となり，反時計方向の経路は［Ａ０−Ｃ０］の経路となる。
【０１２７】
同様にして，第２経路は，リングＲ３ではＩＦ装置Ｈ０を通過する。したがって，ＯｐＳは，リングＲ３において，ＩＦ装置Ｈ０から宛先ＩＦ装置Ｉ２（またはその境界ＩＦ装置Ｉ０）への経路をＩＦ設定情報に基づいて探索し，リングＲ３において時計方向と反時計方向の２つの経路を探索する。時計方向の経路は［Ｈ０−Ｇ０−Ｉ０（−Ｉ２）］となり，反時計方向の経路は［Ｈ０−Ｉ０（−Ｉ２）］となる。
【０１２８】
これにより，第２経路を経由して，自ＩＦ装置から宛先ＩＦ装置までの経路として４通りの経路［Ａ０−Ｃ０−Ｃ１−Ｈ１−Ｈ０−Ｉ０−Ｉ２］，［Ａ０−Ｃ０−Ｃ１−Ｈ１−Ｈ０−Ｇ０−Ｉ０−Ｉ２］，［Ａ０−Ｂ０−Ｃ０−Ｃ１−Ｈ１−Ｈ０−Ｉ０−Ｉ２］，［Ａ０−Ｂ０−Ｃ０−Ｃ１−Ｈ１−Ｈ０−Ｇ０−Ｉ０−Ｉ２］が探索される。そして，これら４つの経路のうち，経由するＩＦ装置の少ないものから順に高い優先度が与えられる。
【０１２９】
図１５は，図１２に示す通信ネットワークシステムに方法αを適用して探索される全経路の伝送経路情報を示している。ここで，優先度１，２，２，３を有する４つの経路が，第２経路を経由する経路である。優先度２を有する経路が２つあるのは，両経路の経由するＩＦ装置数が同数であることによる。
【０１３０】
同様にして，トポロジー情報において２番目の優先度を有する第３経路についても，第３経路を経由して自ＩＦ装置Ａ０から宛先ＩＦ装置Ｉ２までの経路が探索され，探索された経路に優先度が付される。この第３経路を経由する経路に付される優先度には，第２経路を経由する経路に付された優先度１〜３に続く４以降の優先度が付される。すなわち，探索された経路は，図１５に示す優先度４〜７が付された経路となる。
【０１３１】
さらに同様にして，トポロジー情報において３番目の優先度を有する第２経路についても，経路が探索され，探索された経路に優先度８〜１０が付される。
【０１３２】
ノードＡは，このようにして探索した全経路を，図１５に示す伝送経路情報として記憶装置（たとえば図１のＤＢ２０等）に記憶する。そして，ノードＡは，探索された全経路のうち，優先度の最も高い経路（図１５で優先度１を有する経路）［Ａ０−Ｃ０−Ｃ１−Ｈ１−Ｈ０−Ｉ０−Ｉ２］を最適経路として選択する。
【０１３３】
なお，図１５において，かっこ内の数値は，通過する各リングの最小の未使用波長数を表している。たとえば，優先度２の経路の（３−２）は，リングＲ１およびＲ３を通過するので，リングＲ１の最小の未使用波長数３と，リングＲ３の最小未使用波長数２とを示している。また，符号＊１および＊２を付した経路は，通過するＩＦ装置の個数がともに８個であるので，同じ優先度を有する。同様にして，符号＊３〜＊５を付した経路も同じ優先度を有し，符号＊６〜＊８を付した経路，符号＊９〜＊１０を付した経路もそれぞれ同じ優先度を有する。
【０１３４】
このように同じ優先度を有する伝送経路が複数存在する場合には，もう一方の方法β（後述）を，同じ優先度を有する伝送経路に適用することで，さらに詳細な優先度を設定することができる（Ｓ３４）。
【０１３５】
また，方法βを適用しても，同じ優先度の経路が存在する場合には（Ｓ３５で「有」），事前設定情報（図２Ａおよび２Ｂ参照）のデフォルト経路を用いて優先度を設定することができる（Ｓ３６）。これにより，図１５の伝送経路情報は，図１６の伝送経路情報に更新される。
【０１３６】
ステップＳ３１において方法βが選択されると（Ｓ３１で「β」），方法αの場合と同様に，まずトポロジー情報により優先度の高い経路から順に選択され，選択された経路を経由した，自ＩＦ装置から宛先ＩＦ装置までの経路が探索される。そして，探索された経路に優先度が付され，伝送経路情報が作成される。図１７は，図１２に示す通信ネットワークシステムに方法βを適用して探索される全経路の伝送経路情報を示している。
【０１３７】
トポロジー情報における優先度が最も高い第２経路を経由する経路としては，前述した方法αを適用した場合と同じ４つ経路が探索される。
【０１３８】
このうち，リングＲ１における時計方向の経路と反時計方向の経路について，時計方向の経路は未使用波長数が８であるのに対し，反時計方向の経路は未使用波長数が３である（図１２参照）。したがって，時計方向の経路に，反時計方向の経路よりも高い優先度が割り当てられる。
【０１３９】
そして，リングＲ１において時計方向の経路を経由する経路は，さらにリングＲ３において時計方向および反時計方向の２つの経路に分類される。リングＲ３では，時計方向および反時計方向は，ともに未使用波長数が２であるので，両方向の経路には同じ優先度が付される。
【０１４０】
したがって，リングＲ１において時計方向で，かつ，リングＲ３において時計方向の経路と，リングＲ１において時計方向で，かつ，リングＲ３において反時計方向の経路とには，ともに，同じ優先度１が割り当てられる（図１７参照）。
【０１４１】
同様にして，リングＲ１において反時計方向の経路は，さらにリングＲ３において時計方向および反時計方向の２つの経路に分類される。この２つに分類された経路も同じ未使用波長数を有する。したがって，リングＲ１において反時計方向で，かつ，リングＲ３において時計方向の経路と，リングＲ１において反時計方向で，かつ，リングＲ３において反時計方向の経路とには，ともに，同じ優先度２が割り当てられる（図１７参照）。
【０１４２】
同様の方法で，第３経路を経由する経路が探索され，探索された経路のうち，未使用波長数の多い経路から順に，これに続く高い優先度が割り当てられてゆく。続いて，第１経路を経由する経路が探索され，同様にして優先度が割り当てられる。そして，図１７に示す伝送経路情報が作成される。
【０１４３】
図１７において，符号＊１１および＊１２を付した経路は，同じ優先度を有する経路を示している。符号＊１３〜＊１４，＊１５〜＊１６，＊１７〜＊１８，＊１９〜＊２０，＊２１〜＊２２，＊２３〜＊２４，＊２５〜＊２６も，それぞれ同じ優先度を有する経路を示している。
【０１４４】
このように同じ条件の伝送経路が複数存在する場合には（Ｓ３９で「有」），もう一方の方法αを，同じ優先度を有する経路に適用することで（Ｓ３９），優先度に差を設けることができる。また，方法αを適用してもなお同じ優先度を有する経路が存在する場合には（Ｓ３５で「有」），事前設定情報（図２Ａおよび２Ｂ参照）のデフォルト経路を用いて優先度に差を設けることができる（Ｓ３６）。
【０１４５】
以上により，図１７の伝送経路情報は，図１８の伝送経路情報に更新される。そして，ノードＡは，優先度の最も高い経路［Ａ０−Ｂ０−Ｃ０−Ｃ１−Ｈ１−Ｈ０−Ｉ０−Ｉ２］を最適経路として選択することができる。
【０１４６】
ノードＡは，伝送経路情報により最適経路を選択すると，最適経路上の隣接するＩＦ装置に経路設定情報を送信する（図９のＳ４）。たとえば，方法αによる最適経路では，ノードＣのＩＦ装置Ｃ０に経路設定情報が送信される。この経路設定情報には，前述したように，自ＮＥ−ＩＦ番号にＡ０が，宛先ＮＥ−ＩＦ番号にＩ２が，始点ＮＥ−ＩＦ番号にＡ１が，それぞれ設定されている。
【０１４７】
ノードＣは，ノードＡから経路設定情報を受信すると，経路設定情報の自ＮＥ−ＩＦ番号をＣ０に変更する。そして，ノードＣは，この変更後の経路設定情報に基づいて，図９から図１１に示す処理を実行し，トポロジー情報の作成，伝送経路情報の作成，最適経路の選択等を行う。
【０１４８】
ここで，伝送経路情報の作成の際，ノードＣは，リングＲ１において，ＩＦ装置Ｃ０からＩＦ装置Ａ０を経由してＩＦ装置Ｂ０に向かう反時計方向の経路を選択することも考えられる。しかし，ノードＣは，ノードＡから，自ＮＥ−ＩＦ番号にＡ０が設定された経路設定情報を受信しているので，ＩＦ装置Ａ０を経由する経路を除外して，伝送経路情報を作成するようになっている。これにより，処理の効率化が図られる。
【０１４９】
ノードＣは，最適経路を選択すると，最適経路上に隣接したＩＦ装置（たとえばＩＦ装置Ｃ１）に経路設定情報を送信し，同様の処理を繰り返す。このような処理が，宛先ＩＦ装置Ｉ２が所属するノードＩまでの最適経路上の各ノードによって実行される。
【０１５０】
このように，回線増設時，各ノードは，新たにアッドされた光信号をドロップ先まで伝送するための最適経路を選択することができる。また，各ノードは，選択された最適経路の使用可能波長（図６参照）を用いて，現在使用可能な波長を検索し，検索した使用可能波長の１つを，この光信号に割り当てることができる。これにより，保守者の操作を要することなく，新たな光信号についての経路を自動的に設定することができる。
【０１５１】
図１９は，通信ネットワークシステムの他の構成例を示すブロック図であり，伝送路の障害発生の説明図である。図２０は，伝送路に障害が発生した場合の伝送路経路情報を示している。
【０１５２】
図１９の通信ネットワークシステムでは，ＩＦ装置Ａ１にアッドされて光信号が，最適経路［Ａ１−Ａ０−Ｂ０−Ｂ１−Ｅ１−Ｅ０−Ｇ０−Ｇ１］で伝送され，ＩＦ装置Ｇ１からドロップされているものとする。
【０１５３】
この状態において，ＩＦ装置Ｂ１とＩＦ装置Ｅ１との間の伝送路（光ファイバ）に障害が発生すると，障害区間Ｂ１−Ｅ１を含む，現在使用している経路［Ａ１−Ａ０−Ｂ０−Ｂ１−Ｅ１−Ｅ０−Ｇ０−Ｇ１］は使用不能となる。
【０１５４】
発生区間の両端のＷＤＭ伝送装置Ｂ，Ｅは障害を検知し，通信ネットワークシステムの他のノードに障害情報を送信する。障害情報は，前述したように図８Ａに示す構造を有し，障害発生を示す「障害発生」データと，障害発生箇所の両端のＮＥ−ＩＦ番号としてＢ１およびＥ１を有する。
【０１５５】
この障害発生情報の送信により，すべてのノードは，ＩＦ装置Ｂ１とＥ１との間に伝送路障害が発生し，使用不能となっていることが知る。
【０１５６】
各ノードは，障害情報を受信すると，図２０に示す伝送経路情報において，障害区間［Ｂ１−Ｅ１］を含む経路を使用不可として除外し，それ以外の経路を選択する。障害発生後，使用可能な経路のうち，優先度の最も高い経路は，［Ａ１−Ａ０−Ｃ０−Ｃ１−Ｄ１−Ｄ２−Ｆ１−Ｆ０−Ｇ０−Ｇ１］であるので，各ノードは，この経路を最適経路として選択し，この最適経路に従って，ＷＤＭ伝送装置間で使用する波長を自動選択する。
【０１５７】
これにより，伝送経路情報からノードＨとＩとの間を通過しない経路で優先度の最も高い伝送経路を選択し，通過するインタフェースの使用可能波長を用いて，使用波長を自動選択することができる。
【０１５８】
このように，伝送路障害が発生した場合，伝送経路の切り替えを自動に行い障害を回避することができる。
【０１５９】
また，たとえばＷＤＭ伝送装置ＡとＢとの間で，データ信号の送信に使用されている波長（波長λ１とする。）に波長障害が発生した場合には，両ＷＤＭ伝送装置Ａ，Ｂは，未使用波長（波長λ３とする。）を自動的に検索し，検索した未使用波長λ３を，波長λ１によって送信されていたデータ信号の波長に割り当てることができる。
【０１６０】
すなわち，ＷＤＭ伝送装置ＡとＢと間の波長λ１に障害が発生すると，受信側のＷＤＭ伝送装置Ｂは波長λ１の障害を検出する。そして，ＷＤＭ伝送装置Ｂは使用可能な未使用波長λ３を検索し，選択する。ＷＤＭ伝送装置Ｂは，ＯＳＣ信号の波長情報，故障情報に波長λ１が使用不可である情報を追加し送信する。
【０１６１】
ＷＤＭ伝送装置Ａは，ＷＤＭ伝送装置ＢからＯＳＣ信号を受信し，波長λ１に障害が発生し，使用できないことを知る。そして，ＷＤＭ伝送装置Ａは，未使用波長（λ３とする。）を検索し，未使用波長λ３を選択する。
【０１６２】
これにより，波長λ１により送受信されていたデータ信号は，障害発生後，波長λ３により送受信される。
【０１６３】
経路を最新の伝送経路情報に基づいて再設定する経路再配置コマンドを設け，ＯｐＳ（または保守者等）から経路再配置コマンドを各ノードに入力することによって，伝送経路は最新の伝送経路情報を用いて自動的に切り替えられることができる。
【０１６４】
この経路再配置コマンドを用いることにより，現在使用している伝送経路を，最新の伝送経路情報に基づく最適伝送経路へ切り替えるタイミングを制御することができる。たとえば，回線増設により伝送経路に変更が生じた場合には，信号の瞬断を避けるため，経路は所定のタイミングになるまで切り替えないものとし，所定のタイミングに経路再配置コマンドをＯｐＳから各ノードに入力することにより，所定のタイミングで伝送経路を変更することができる。
【０１６５】
なお，障害が発生した場合には，伝送経路を最適伝送経路へ迅速に切り替える必要があるため，経路再配置コマンドが入力されなくとも，最適伝送経路の再配置は行われることが好ましい。したがって，障害発生時は，コマンドの入力がなくても，ノードが障害を検出ことにより，経路の再配置を実行する。
【０１６６】
また，伝送経路や選択波長の障害が保守により復旧した場合には，増設時と同様に瞬断を避けるため，伝送経路はある経路再配置コマンドの入力によって，所定のタイミングで切り替えられることが好ましい。
【産業上の利用可能性】
【０１６７】
本発明は，光伝送装置，特にＷＤＭ技術を使用したＷＤＭ伝送装置およびSONET／SDH伝送装置，ならびにこれらの光伝送装置を有する通信ネットワークシステムに利用することができる。
【０１６８】
本発明によると，第１に，ＷＤＭ伝送装置の障害等により，ＷＤＭ伝送装置のデータベースの波長情報が消失した場合であっても，ＯｐＳや保守者によるデータベースの復元を必要とせず，隣接するノードから波長情報を入力し，設定することができる。これにより，保守性が向上し，保守者の操作を省くことができる。
【０１６９】
本発明によると，第２に，ＷＤＭ伝送装置を含む通信ネットワークシステムに新たな回線を増設する場合に，自動的に最適な経路を選択することができる。これにより，迅速かつ効果的な回線の伝送経路設計が可能となる。
【０１７０】
また，最適経路選択の選択方法として，経由するＷＤＭ伝送装置数を最小とする方法，または，ＷＤＭ伝送装置間の未使用波長数の多い区間を選択する方法のいずれかを選択できるとともに，SONET／SDH伝送装置間の距離を考慮して経路の優先度を設定できるので，ネットワークの保守性を向上することができる。
【０１７１】
本発明によると，第３に，１つの波長の障害により，１つの伝送路全体を切り替える必要がなく，障害が発生した波長の波長情報を正常な未使用波長に設定することで，他の正常な回線に回線断の影響を与えないことが可能となる。これによっても，保守性が向上する。
【０１７２】
第４に，伝送路障害発生時，隣接ノード間の閉じた区間で伝送路切り替えを行い，ノード間で切り替え対象が無い，または，全ての切り替え対象が故障していた場合であっても，経路検索を行うことによって，他の経路を選択して信号を送信することができる。これにより，伝送路障害を回避でき，保守性が向上する。
【図面の簡単な説明】
【０１７３】
【図１】図１は，本発明の一実施の形態によるＷＤＭ伝送装置の構成を示すブロック図である。
【図２】図２Ａおよび２Ｂは，インタフェース装置の事前設定情報を示す。
【図３】図３Ａ〜３Ｃは，インタフェース情報の例を示す。
【図４】図４は，インタフェース情報を説明するためのネットワーク構成図の一例である。
【図５】図５Ａおよび５Ｂは，各ノードによって通信ネットワークシステム上の全ノードに送信されるインタフェース設定情報を示す。
【図６】図６は，使用可能波長情報を示す。
【図７】図７は，経路設定情報を示す。
【図８】図８Ａおよび８Ｂは，障害情報を示す。
【図９】図９は，始点インタフェース装置から宛先インタフェース装置までの経路探索および経路選択の処理の流れを示すフローチャートである。
【図１０】図１0は，始点インタフェース装置から宛先インタフェース装置までの経路探索および経路選択の処理の流れを示すフローチャートである。
【図１１】図１１は，始点インタフェース装置から宛先インタフェース装置までの経路探索および経路選択の処理の流れを示すフローチャートである。
【図１２】図１２は，複数のＷＤＭリングがSONET／SDH伝送装置により接続されている通信ネットワークシステムの構成例を示す。
【図１３】図１３は，トポロジー情報の一例を示す。
【図１４】図１４は，通信ネットワークシステムの構成例を示す。
【図１５】図１５は，図１２に示す通信ネットワークシステムに方法αを適用して探索される全経路の伝送経路情報を示す。
【図１６】図１６は，図１２に示す通信ネットワークシステムにおいて探索された全経路の伝送経路情報を示す。
【図１７】図１７は，図１２に示す通信ネットワークシステムに方法βを適用して探索される全経路の伝送経路情報を示す。
【図１８】図１８は，図１２に示す通信ネットワークシステムにおいて探索された全経路の伝送経路情報を示す。
【図１９】図１９は，通信ネットワークシステムの他の構成例を示すブロック図であり，伝送路の障害発生の説明図である。
【図２０】図２０は，伝送路に障害が発生した場合の伝送路経路情報を示す。
【図１】
2006352919.tif 000003
【図２】
2006352919.tif 000004
【図３】
2006352919.tif 000005
【図４】
2006352919.tif 000006
【図５】
2006352919.tif 000007
【図６】
2006352919.tif 000008
【図７】
2006352919.tif 000009
【図８】
2006352919.tif 000010
【図９】
2006352919.tif 000011
【図１０】
2006352919.tif 000012
【図１１】
2006352919.tif 000013
【図１２】
2006352919.tif 000014
【図１３】
2006352919.tif 000015
【図１４】
2006352919.tif 000016
【図１５】
2006352919.tif 000017
【図１６】
2006352919.tif 000018
【図１７】
2006352919.tif 000019
【図１８】
2006352919.tif 000020
【図１９】
2006352919.tif 000021
【図２０】
2006352919.tif 000022